(57)【要約】      （修正有）【課題】低コストで且つ棚板の形態に応じて、ガードバーを棚板に簡単に取り付けることができるガードバーの取付構造を提供する。【解決手段】棚板５上に複数の支柱２，３を立設し、複数の支柱２，３間にガイドバー１を掛け渡して取り付ける構造である。支柱２，３の元部に底部から嵌入穴が形成される。棚板５上には、支柱２，３の嵌入穴に密に嵌入可能な取付座１０が固定手段によって縦に固定される。取付座１０は、円筒本体の小径部の外周に複数のリブを設け、小径部の下側に中径部を設け、中径部の外周に複数のリブを設け、中径部の下側に大径部を設けて一体成形される。支柱２，３は、その元部の嵌入穴を取付座１０に被せるように、取付座１０の上から嵌め込み、圧入する。【選択図】図１
0003148879.tif 000002
【実用新案登録請求の範囲】
【請求項１】
棚板上に複数の取付座を立設し、支柱の元部には底部から嵌入穴が形成され、該取付座に対し該嵌入穴を密に圧入するように該支柱を該取付座の上から嵌め込んで固定し、複数の該支柱間にガイドバーを掛け渡して取り付けるガードバーの取付構造において、
該取付座は、軸心位置に貫通孔を有して略円筒形に形成されると共に、その上部に小径部を設け、該小径部の下側に中径部を設け、該中径部の下側に大径部を設けて形成される一方、該小径部と該中径部の外周には複数のリブが突設され、
該取付座は、該貫通孔に上から取付ねじをねじ込み、該取付ねじの先端を該棚板にねじ込んで固定する上ねじ固定手段、該棚板にその下面から該取付ねじを上面に向けてねじ込み、該上面から突き出した該取付ねじの先端を該取付座の該貫通孔に下からねじ込んで固定する下ねじ固定手段、或いは、該棚板上に取付穴を穿設し、該取付穴に該取付座の上下を逆にして前記小径部を該取付穴に圧入する圧入固定手段、の何れかの固定手段を選択使用して、該棚板上に固定されることを特徴とするガードバーの取付構造。
【考案の詳細な説明】
【技術分野】
【０００１】
本考案は、棚板上の前部などにガードバーを取り付ける際に使用するガードバーの取付構造に関する。
【背景技術】
【０００２】
洗面室、台所、浴室などに設置された棚板において、棚板上に載置する物の落下を防止するために、棚板上の前部にガードバーを取り付ける場合がある。
【０００３】
この種のガードバーは、例えば下記の特許文献１に記載されるように、ガードバーの両端部を曲折し、その端部に取付ねじ用の孔を設けておき、棚板の下側から取付ねじをねじ込みながら、棚板上に取付ねじの先端を突出させ、ガードバーの端部に、その取付ねじの先端をねじ込み、ガードバーを棚板上に固定するようにしている。
【特許文献１】特開平１０ー３１３９６２号公報
【考案の開示】
【考案が解決しようとする課題】
【０００４】
また、上記のガードバーとは異なった形態の取付構造として、棚板上に複数の支柱を固定し、それらの支柱間に直線状のガードバーを取り付ける構造が、従来知られている。この種の支柱間にガードバーを取り付ける構造の場合、支柱を棚板上に立設するために、例えば支柱の端部にねじ穴を形成しており、棚板の裏面から取付ねじを棚板の貫通孔に挿入し、固定ねじの先端を支柱のねじ穴にねじ込み固定している。
【０００５】
一方、別のガードバーの取付構造として、取付座を取付ねじなどで棚板上に固定し、その取付座の上から支柱を被せるように取り付け、支柱間にガードバーを取り付ける構造も、知られている。
【０００６】
このような各種の取付構造は、棚板の厚さやガードバーの取付位置に応じて使用され、取付構造が異なる場合、そこで使用される部材も異なるため、施工業者は、異なった取付構造毎にそれらで使用する部材をストックしておき、使用する棚板に応じてそれらの取付部材を選択して使用する必要がある。
【０００７】
このため、施工業者にとっては、取付部材のストックが増加してコスト高となり、また、ガードバーを施工する際には、棚板の厚さや取付位置に応じて取付部材を選択する作業が入るため、ガードバーの取付作業に手間がかかるという不具合があった。
【０００８】
本考案は、上述の課題を解決するものであり、低コストで且つ棚板の形態に応じて、ガードバーを棚板に簡単に取り付けることができるガードバーの取付構造を提供することを目的とする。
【課題を解決するための手段】
【０００９】
本考案に係るガードバーの取付構造は、
棚板上に複数の取付座を立設し、支柱の元部には底部から嵌入穴が形成され、該取付座に対し該嵌入穴を密に圧入するように該支柱を該取付座の上から嵌め込んで固定し、複数の該支柱間にガイドバーを掛け渡して取り付けるガードバーの取付構造において、
該取付座は、軸心位置に貫通孔を有して略円筒形に形成されると共に、その上部に小径部を設け、該小径部の下側に中径部を設け、該中径部の下側に大径部を設けて形成される一方、該小径部と該中径部の外周には複数のリブが突設され、
該取付座は、該貫通孔に上から取付ねじをねじ込み、該取付ねじの先端を棚板にねじ込んで固定する上ねじ固定手段、棚板にその下面から取付ねじを上面に向けてねじ込み、該上面から突き出した取付ねじの先端を該取付座の貫通孔に下からねじ込んで固定する下ねじ固定手段、或いは、棚板上に取付穴を穿設し、該取付穴に該取付座の上下を逆にして前記小径部を該取付穴に圧入する圧入固定手段、の何れかの固定手段を選択使用して、棚板上に固定されることを特徴とする。
【００１０】
この考案によれば、棚板の厚さや取付位置に応じて、上記上ねじ固定手段、下ねじ固定手段或いは圧入固定手段の何れかを選択して、取付座を棚板に固定し、その取付座に対し支柱を嵌め込むように取り付けるため、棚板の厚さや取付位置が変わった場合でも、同じ取付座及び支柱を用いてガードバーを棚板上に簡単に固定することができる。このため、施工業者は、この取付座を含む支柱及びガードバーがあれば、他の取付部材をストックしておく必要がなく、施工コストを低く抑えることができ、ガードバーの取付施工も簡単に行うことができる。
【００１１】
また、取付座は、棚板の上面から取付ねじをねじ込むことが可能な場合には、上ねじ固定手段により、上方から取付ねじを取付座の貫通孔に通して固定し、棚板の厚さが比較的薄い場合には、下ねじ固定手段により、棚板の下面から取付ねじをねじ込んで固定し、或いは取付ねじを使用できない場合、圧入固定手段により、棚板上に穿設した嵌入穴に取付座を圧入して取り付け、その取付座に支柱を嵌め込むように、同じ取付座を用いて、３通りの取り付けを行うことができ、施工が簡単となり、さらに、施工コストを抑えることができる。
【考案の効果】
【００１２】
本考案のガードバーの取付構造によれば、低コストでガードバーの取付が可能となり、棚板の形態に応じて簡単にガードバーを棚板に取り付けることができる。
【考案を実施するための最良の形態】
【００１３】
以下、本考案の一実施形態を図面に基づいて説明する。図１は棚板５にガードバー１を取り付けた状態の正面図を示し、図２はガードバー１を支持する支柱２，３の取付座１０を示し、図３、図４は支柱２，３を示している。
【００１４】
ガードバー１は、棚板５の上に、例えば３本の支柱２，３を立設し、それらの支柱２，３に掛け渡す形態で、水平に取り付けられる。それらの支柱２，３の取り付けには、取付座１０と取付ねじ７が使用され、３本の取付座１０が棚板５の所定位置に立てて固定され、それらの取付座１０に対し各支柱２，３を上方から嵌め込むように取り付け、この際、１本のガードバー１が各支柱２，３のバー支持穴２ｂ、３ｂに嵌め込むようにして、取り付けられる。
【００１５】
各支柱２，３を取り付ける取付座１０は、図２に示すように、円筒本体が上から小径部１１、中径部１２、大径部１３となるように段差を付けた円筒状に形成され、小径部１１と中径部１２の外周部には複数のリブ１１ａ、１２ａが突設されて構成される。
【００１６】
小径部１１と中径部１２の外周のリブ１１ａ，１２ａは、例えば１０本の凸条のリブを３６°の間隔で、その外周面に、軸方向に沿って、突設されて形成されているが、リブ１１ａ，１２ａは任意の本数だけ設けることができる。中径部１２のリブ１２ａの外径は、大径部１３の外径より僅かに大きく形成されている。小径部１１のリブ１１ａは、後述のように、棚板５の取付孔５ａに取付座１０を嵌め込み圧入したとき、回り止めと抜け止めの作用を行なうように形成されている。また、中径部１２の外周のリブ１２ａは、支柱２，３の嵌入穴２ａ，３ａを取付座１０に被せるように圧入して嵌め込んだとき、回り止めと抜け止めの作用を行なうように形成されている。
【００１７】
さらに、大径部１３は、支柱２，３の嵌入穴２ａ，３ａを取付座１０に被せるように圧入して嵌め込んだとき、支柱２，３をガタツキなく支持するように形成されている。このような取付座１０は、例えばポリアミド樹脂などの合成樹脂により、プラグ状に一体成形されている。
【００１８】
取付座１０の円筒本体の軸心位置に、軸方向に沿って貫通孔が形成されるが、この貫通孔は取付ねじ７が挿入可能な内径を有して形成されている。また、取付座１０の長さは、支柱２，３に設けた嵌入穴２ａ，３ａ内に挿入可能な長さで、且つ支柱２，３を有効に支持可能な長さに形成されている。
【００１９】
なお、取付座１０を棚板５上に固定する際に使用する取付ねじ７の長さは、それを取付座１０の貫通孔に挿通したとき、その下端から取付ねじ７の先端が突出し、且つその先端を棚板５にねじ込んだとき、取付ねじ７の先端部が棚板５内に有効に固定される程度の長さに設定されている。
【００２０】
ガードバー１を支持する支柱は、ガードバー１の端部を支持するための支柱２と、ガードバー１の中間部を支持する支柱３との２種類の形態に、金属により形成されている。端部用の支柱２には、図３に示すように、その上部にバー支持穴２ｂが端部を閉鎖した閉鎖孔として水平方向に形成され、さらに、支柱２の元部には、その軸方向に底部から嵌入穴２ａが穿設されている。バー支持穴２ｂは、ガードバー１の外径と略同一の内径を有し、ガードバー１を挿入可能な穴となっている。
【００２１】
また、支柱２，３の嵌入穴２ａ，３ａは、取付座１０に対し被せるように嵌め込んだとき、中径部１２のリブ１２ａと大径部１３の外周部に嵌入され、リブ１２ａを僅かに内側に圧縮して圧入されるような内径を有して形成されている。嵌入穴２ａ，３ａの長さは、図１に示すように、棚板５上に取付ねじ７により固定された取付座１０に対し、支柱２を上方から嵌入したとき、支柱２、３の嵌入穴２ａ，３ａ内に取付座１０と取付ねじ７が完全に入る程度の長さに設定されている。
【００２２】
ガードバー１の中間部を支持する支柱３は、図４に示すように、その上部にバー支持穴３ｂが貫通孔として水平方向に形成され、さらに、支柱３の元部には、上記の端部用の支柱２と同様に、その軸方向に底部から嵌入穴３ａが穿設されている。バー支持穴３ｂは、ガードバー１の外径と略同一の内径を有して形成され、ガードバー１を挿入可能な穴とされている。ガードバー１は、ここでは、円形断面を有した直線状の金属棒から形成されているが、曲線形状に曲がられた金属棒として形成することもできる。
【００２３】
次に、上記構成の取付座１０と支柱２，３を用いて、ガードバー１を棚板５上の取り付ける取付形態について説明する。
【００２４】
ガードバー１を棚板５上に取り付ける場合、先ず、棚板５上の前部などにおける３箇所の所定位置に、取付ねじ７用の下穴を開け、図５に示すように、上方から取付ねじ７を取付座１０に挿入し、取付座１０を棚板５上に取り付ける。このとき、取付座１０の下端から突き出した取付ねじ７の先端を、棚板５の下穴にねじ込むようにし、３本の取付座１０を棚板５上に取り付け、各取付ねじ７を締め付けて各取付座１０を棚板５上に固定する。これにより、図１に示す如く、３本の取付座１０は、ガードバー１の両端部と中間部に対応した位置に立設され、固定される。
【００２５】
次に、ガードバー１と支柱２，３の組付体を３本の取付座１０に対し、両端の２本の支柱２，２と中間位置の支柱３を、棚板５上に立設した３本の各取付座１０に嵌め込む。つまり、両端の２本の支柱２，２と中間位置の支柱３の嵌入穴２ａ，３ａを、３本の各取付座１０の外周に嵌め込むように圧入し、これで、図１に示すように、ガードバー１の取り付けは完了する。
【００２６】
このように、ガードバー１を取り付けた複数の支柱２，２または支柱２，３を、予め棚板５上の所定位置に立設した取付座１０に対し、上方から嵌め込むのみの簡単な操作により、ガードバー１を棚板５上に取り付けることができる。
【００２７】
なお、上記では３本の支柱２，３を用いてガードバー１を取り付けたが、短いガードバーであれば、２本の支柱２，２を介して棚板５上に取り付けることができ、長いガードバーの場合には、２本の端部用の支柱２，２とその長さに対応した本数の中間用の支柱３を用いて取り付けることになる。
【００２８】
図６は他の実施形態を示し、この例では、比較的厚さの薄い棚板６に対し、支柱２，３を取り付ける場合を示している。すなわち、棚板６の厚さが薄く、取付ねじ７の先端のみでは、必要な締付強度が得られない場合、図６のように、タッピングねじとしての取付ねじ７を、棚板６の裏面から上向きに棚板６に設けた下穴に挿入し、取付座１０の貫通孔内に取付ねじ７をねじ込む。
【００２９】
これにより、厚さの薄い棚板６に対して、取付座１０を必要な強度をもって取り付けることができる。所定の位置に取付座１０を取り付けた後は、上記と同様に、複数の支柱２，３の嵌入穴２ａ，３ａを、各取付座１０に対し嵌め込むように取り付け、ガードバー１を取り付けることとなる。
【００３０】
さらに、図７は別の実施形態を示し、この例では、取付ねじを使用せずに圧入により取付座１０を棚板５に取り付けている。すなわち、先ず棚板５の所定位置に、取付座１０用の取付穴５ａを穿設しておき、この取付穴５ａに、取付座１０の上下を上記とは逆にした状態で、その円筒本体の上部の小径部１１を取付穴５ａ内に圧入するようにして、取付座１０を取り付ける。
【００３１】
この取付穴５ａの内径は、取付座１０の小径部１１のリブ１１ａの外径より僅かに小さく形成され、取付座１０は上下を逆にした状態で、その小径部１１を嵌入穴５ａに圧入する。これにより、取付ねじを使用せずに、取付座１０を棚板５の所定位置に固定することができる。そして、所定の位置に取付座１０を取り付けた後、上記と同様に、複数の支柱２，３の嵌入穴２ａ，３ａを各取付座１０に対し嵌め込むように取り付け、ガードバー１を取り付けることとなる。
【００３２】
このように、取付座１０は、棚板５の上面から取付ねじ７をねじ込むことが可能な場合には、上方から取付ねじ７を取付座１０の貫通孔に通して固定し、棚板の厚さが比較的薄い場合には、棚板６の下面から取付ねじ７をねじ込んで固定し、或いは取付ねじを使用できない場合には、棚板５上に穿設した取付穴５ａに取付座１０の小径部１１を圧入して取り付け、その取付座１０に支柱２，３を嵌め込むように、同じ取付座１０を用いて、３通りの取り付けを行うことができ、施工が簡単となり、さらに、施工コストを抑えることができる。
【図面の簡単な説明】
【００３３】
【図１】本考案の一実施形態を示し、ガードバーを棚板に取り付けた状態の正面図である。
【図２】取付座の正面図（ａ）、左側面図（ｂ）、平面図（ｃ）、底面図（ｄ）、及びｅ−ｅ断面図（ｅ）、ｆ−ｆ断面図（ｆ）である。
【図３】支柱２の正面図（ａ）、左側面図（ｂ）、平面図（ｃ）、底面図（ｄ），ｅ−ｅ断面図（ｅ）である。
【図４】支柱３の正面図（ａ）、左側面図（ｂ）、平面図（ｃ）、底面図（ｄ），ｅ−ｅ断面図（ｅ）である。
【図５】取付座、取付ねじ、及び支柱の分解正面図である。
【図６】他の実施形態の取付座、取付ねじ、及び支柱の分解正面図である。
【図７】さらに他の実施形態の取付座、取付ねじ、及び支柱の分解正面図である。
【符号の説明】
【００３４】
１      ガードバー
２      支柱
２ａ    嵌入穴
２ｂ    バー支持穴
３      支柱
３ａ    嵌入穴
３ｂ    バー支持穴
５      棚板
５ａ    取付穴
６      棚板
１０    取付座
１１    小径部
１１ａ  リブ
１２    中径部
１２ａ  リブ
１３    大径部
【図１】
0003148879.tif 000003
【図２】
0003148879.tif 000004
【図３】
0003148879.tif 000005
【図４】
0003148879.tif 000006
【図５】
0003148879.tif 000007
【図６】
0003148879.tif 000008
【図７】
0003148879.tif 000009